(57)【要約】　　　（修正有）【課題】黒板を消す時に該本体外殻内に設置する吸引機セットの吸引動作により、粉塵を吸入し、粉塵が四方に飛び散らないコードレス黒板消し集塵機を提供する。【解決手段】コードレス黒板消し集塵機１は、本体外殻１０、吸引機セット、拭き取り板セット３０により構成し、該吸引機セットは該本体外殻内に設置し、該拭き取り板は該本体外殻底面に設置し、該拭き取り板セットは、拭き取り布、通気性スポンジ、底板、通気性紙セットの順序で組合せで構成し、該拭き取り布へ複数の且つ規則性を具有する微小の微孔を設け、該通気性紙セットは立体的な凹凸状を呈するコードレス黒板消し集塵機である。【選択図】　　　　図１
0003097841.tif 000002
【実用新案登録請求の範囲】
【請求項１】
コードレス黒板消し集塵機は、本体外殻、吸引機セット、拭き取り板セットにより構成し、
該吸引機セットは該本体外殻内に設置し、該拭き取り板は該本体外殻底面に設置し、
該拭き取り板セットは、拭き取り布、通気性スポンジ、底板、通気性紙セットの順序で組合せで構成し、
該拭き取り布へ複数の且つ規則性を具有する微小の微孔を設け、
該通気性紙セットは立体的な凹凸状を呈することを特徴とするコードレス黒板消し集塵機。
【考案の詳細な説明】
【０００１】
【考案の属する技術分野】
本考案は、黒板消しの技術分野、特に、コードレス黒板消し集塵機の技術分野に属する。
【０００２】
【従来の技術】
一般に、学校や学習塾などの勉強を教える場所では、教師が字、教学内容、資料の説明などを書くために通常黒板またはホワイトボードが設けられており、ホワイトボードにはホワイトボード用のペンを用いられ、また、黒板の場合はチョークが用いられる。
【０００３】
【考案が解決しようとする課題】
ところが、ホワイトボードの場合、ホワイトボード用のペンを用いるがホワイトボード用のペンには毒性の物質が含まれており、人体に悪い影響を与えるという問題点があった。
また、黒板とチョークの場合、黒板消しを使用するとチョークの粉塵が黒板消しの底面へつき、黒板消しを移動するとチョークの粉塵が落ち、四方へ飛び散り、チョークの粉塵が空間に氾濫する環境と成る。教鞭者から学習者まで、大人から幼児までの身体に悪い影響を与える。公知の黒板消しは、消す時に粉塵を産出し、四方に飛び散るので健康に有害であるという問題点があった。
本考案は、上記公知技術の問題点に鑑み、その課題は、黒板を消す時に該本体外殻内に設置する吸引機セットの吸引動作により、粉塵を吸入し、粉塵が四方に飛び散らないコードレス黒板消し集塵機を提供するものである。
【０００４】
【課題を解決するための手段】
上記課題を解決するために、本考案は、コードレス黒板消し集塵機は、本体外殻、吸引機セット、拭き取り板セットにより構成し、該吸引機セットは該本体外殻内に設置し、該拭き取り板は該本体外殻底面に設置し、該拭き取り板セットは、拭き取り布、通気性スポンジ、底板、通気性紙セットの順序で組合せで構成し、該拭き取り布へ複数の且つ規則性を具有する微小の微孔を設け、該通気性紙セットは立体的な凹凸状を呈することを特徴とするコードレス黒板消し集塵機である。
その作用は、本体外殻内部へ吸引機セットを設置し、外殻底面へ拭き取り板セットを設置することにより、黒板消し集塵機となり、該黒板消し集塵機は拭き取る動作をすると粉塵を吸入し、粉塵が不容易に飛び散らない、且つ身体にも悪い影響を与えないコードレス黒板消し集塵機である。
【０００５】
【考案の実施の形態】
本考案の好適な１実施例を図面に沿って説明する。
図１から図４に示すように、黒板消し集塵機１は本体外殻１０、吸引機セット２０、拭き取り板セット３０により構成され、詳しくは、図２、３に示すように、該本体外殻１０は左右の外殻１１、１２に係り、該左右外殻１１、１２は互いに対称する形状を呈しており、該左外殻１１内に電池ケース１１１を設け、該電池ケース１１１に電池１１２を設置し、該右外殻１２の外表面に開口部１２１を設け、該開口部１２１に電源スイッチ１２２を設置する。
該吸引機セット２０はモータ２１、ファン２２により構成し、該拭き取り板セット３０は拭き取り布３１、通気性スポンジ３２、底板３３、通気性紙セット３４の順序による組合せで構成し、該拭き取り布３１へ複数の且つ規則性を具有する微小の微孔３１１を設け、該通気性スポンジ３２は通気性を具えるが粉塵は通り抜けにくい、該底板３３の板面へ複数の不規則性の孔３３１を設け、よって気体が流通し、該通気性紙セット３４は通気紙３４１を折ることにより立体的な凹凸状を呈し、また周囲へ枠３４２を設ける。
また、図２から図４に示すように、該吸引機セット２０は該左外殻１１内へ設け、同時に該電池１１２は該電池ケース１１１へ設置し、右外殻１２は対称の左外殻１１へ設け、最後に蓋１３を該左右外殻１１、１２の後方部分へ設置する。該拭き取り布３１を該通気性スポンジ３２の一面へ貼着し、その後、該通気性スポンジ３２の別の一面を該底板３３の一面へ貼着し、続いて、該通気性紙セット３４を該底板３３の別の一面へ貼着して組合せることにより該拭き取り板セット３０と成る。最後に該拭き取り板セット３０を該本体外殻１０の下面へ設け、黒板消し集塵機１が構成される。
そして、図３、４に示すように、該黒板消し集塵機１を使用するとき、使用者が電源スイッチ１２２を入れると同時に該黒板消し集塵機１内部の吸引機セット２０は吸引動作を開始し、粉塵は該吸引機セット２０へ吸引され、粉塵は該拭き取り板セット３０の布３１の微孔３１１から通気性スポンジ３２の内部へ進入し、該粉塵の中で顆粒が比較的大きい物は該通気性スポンジ３２内部へ残留し、比較的細かい顆粒は通気性紙セット３４へ進入し、通気紙３４１へ蓄積する。
図５に示すように、該黒板消し集塵機１を使用後、公知の黒板消しクリーナー２の置き溝３内へ置き、該黒板消しクリーナー２は吸引方式により該黒板消し集塵機１の布３１の表面、通気スポンジ３２、通気紙３４１へ蓄積する粉塵を該黒板消しクリーナー２内部へ吸引することにより黒板消し集塵機１の清潔を保持する。
【０００６】
【考案の効果】
以上説明したように、本考案によると、本体外殻内部へ吸引機セットを設置し、外殻底面へ拭き取り板セットを設置することにより、黒板消し集塵機となり、該黒板消し集塵機は拭き取る動作をすると粉塵を吸入し、粉塵が不容易に飛び散らず、粉塵が四方に飛び散らないという効果が得られ、結果として、人体に悪い影響を与えないコードレス黒板消し集塵機になるという効果を得られる。
【図面の簡単な説明】
【図１】本考案の実施例の立体図である。
【図２】本考案の実施例の分解図である。
【図３】本考案の実施例の立体断面図である。
【図４】本考案の実施例の側面の断面図である。
【図５】本考案の実施例を清潔にする説明図である。
【符号の説明】
１　　　コードレス黒板消し集塵機
１０　　外殻
１１　　左外殻
１１１　電池ケース
１１２　電池
１２　　右外殻
１２１　開口部
１２２　電源スイッチ
１３　　蓋
２０　　吸引機セット
２１　　モータ
２２　　ファン
３０　　拭き取り板セット
３１　　拭き取り布
３１１　微孔
３２　　通気性スポンジ
３３　　底板
３３１　孔
３４　　通気性紙セット
３４１　通気性紙
３４２　枠
２　　　クリーナー
３　　　置き溝
【図１】
0003097841.tif 000003
【図２】
0003097841.tif 000004
【図３】
0003097841.tif 000005
【図４】
0003097841.tif 000006
【図５】
0003097841.tif 000007